(57)【要約】      （修正有）【課題】異なる無線アクセスネットワーク間でのハンドオーバを制御する際に、無線品質によらずに移動機能力を取得する。【解決手段】第１の無線アクセスネットワークと、第１の無線アクセスネットワークと異なる第２の無線アクセスネットワークとを併用する無線通信システムにおいて、第１の無線アクセスネットワークを用いて無線通信を行う移動機の通信を第２の無線アクセスネットワークに切り替える際に、第１の無線アクセスネットワークから第２の無線アクセスネットワークへ通知されるリロケーション要求に基づき、第２の無線アクセスネットワークの交換機にてコアネットワーク上のデータベースから移動機の移動機能力情報を取得し、交換機から第２の無線アクセスネットワークの無線制御装置へ移動機能力情報を供給し、無線制御装置において移動機能力情報を記憶するとともに、移動機に対する第２の無線アクセスネットワークを用いた通信へ切替制御を行う。【選択図】図２
2015216573.tif 000002
【特許請求の範囲】
【請求項１】
第１の無線アクセスネットワークと、前記第１の無線アクセスネットワークと異なる第２の無線アクセスネットワークとを併用する無線通信システムにおける無線通信制御方法であって、
前記第１の無線アクセスネットワークを用いて無線通信を行う移動機の通信を、前記第２の無線アクセスネットワークを用いた通信に切り替える際に、
前記第１の無線アクセスネットワークから前記第２の無線アクセスネットワークへ通知されるリロケーション要求に基づいて、前記第２の無線アクセスネットワークの交換機にてコアネットワーク上のデータベースから前記移動機の移動機能力情報を取得し、
前記交換機から前記第２の無線アクセスネットワークの無線制御装置へ前記移動機能力情報を供給し、
前記無線制御装置において、前記移動機能力情報を記憶するとともに、前記移動機に対する前記第２の無線アクセスネットワークを用いた通信への切替制御を行う、
ことを特徴とする無線通信制御方法。
【請求項２】
前記交換機は、前記データベースから取得した前記移動機能力情報を、前記リロケーション要求とともに前記無線制御装置へ送信し、
前記無線制御装置は、前記リロケーション要求に対する肯定応答とともに、前記移動機に対する切替制御メッセージを前記交換機に送信する、
ことを特徴とする請求項１に記載の無線通信制御方法。
【請求項３】
前記無線制御装置は、前記リロケーション要求に基づいて、前記移動機のために前記第２の無線アクセスネットワークのリソースを確保し、
前記リロケーション要求に対する肯定応答ともに、前記リソースに関する情報を前記交換機に送信することを特徴とする請求項２に記載の無線通信制御方法。
【請求項４】
前記肯定応答に基づいて前記第１の無線アクセスネットワークから前記移動機に対してハンドオーバ命令が送信され、
前記ハンドオーバ命令に含まれる前記切替制御メッセージにより、前記移動機を前記第２の無線アクセスネットワークへハンドオーバさせることを特徴とする請求項２または３に記載の無線通信制御方法。
【請求項５】
前記第１の無線アクセスネットワークはE-UTRANであり、前記第２の無線アクセスネットワークはUTRANであり、前記移動機能力情報は、前記第１の無線アクセスネットワークについての移動機能力であることを特徴とする請求項１に記載の無線通信制御方法。
【請求項６】
前記第１の無線アクセスネットワークはUTRANであり、前記第２の無線アクセスネットワークはE-UTRANであり、前記移動機能力情報は、前記第１の無線アクセスネットワークについての移動機能力であることを特徴とする請求項１に記載の無線通信制御方法。
【請求項７】
第１の無線アクセスネットワークと、前記第１の無線アクセスネットワークと異なる第２の無線アクセスネットワークとを併用する無線通信システムで用いられる無線制御装置であって、
前記第１の無線アクセスネットワークを用いて無線通信を行う移動機の通信を、前記第２の無線アクセスネットワークを用いた通信に切り替える際に、前記第２の無線アクセスネットワークの交換機からリロケーション要求と、前記交換機がコアネットワーク上のデータベースから取得した前記移動機についての移動機能力情報とを受信する通信部と、
前記交換機から受信した前記移動機能力情報を記憶する記憶部と、
前記リロケーション要求に基づいて、前記移動機に対する前記第２の無線アクセスネットワークを用いた通信への切替制御を行う制御部と、
を有することを特徴とする無線制御装置。
【請求項８】
前記制御部は、前記リロケーション要求に基づいて、前記移動機に対する切替制御メッセージを生成し、
前記通信部は、前記リロケーション要求に対する肯定応答とともに、前記切替制御メッセージを前記交換機に送信する、
ことを特徴とする請求項７に記載の無線制御装置。
【請求項９】
前記制御部は、前記リロケーション要求に基づいて、前記第２の無線アクセスネットワークにおける移動機のためのリソースを確保し、
前記通信部は、前記リロケーション要求に対する肯定応答ともに、前記リソースに関する情報を前記交換機に送信することを特徴とする請求項８に記載の無線通信制御装置。
【請求項１０】
前記通信部は、前記切替制御メッセージの送信後に前記移動機からハンドオーバ完了通知を受信し、
前記制御部は、前記ハンドオーバ完了通知に基づいて前記移動機との間の接続状態を維持し、前記記憶部から前記移動機能力情報を取得する、
ことを特徴とする請求項８または９に記載の無線制御装置。
【請求項１１】
前記第１の無線アクセスネットワークはE-UTRANであり、前記第２の無線アクセスネットワークはUTRANであり、前記移動機能力情報は、前記第１の無線アクセスネットワークについての移動機能力であることを特徴とする請求項７に記載の無線制御装置。
【請求項１２】
前記第１の無線アクセスネットワークはUTRANであり、前記第２の無線アクセスネットワークはE-UTRANであり、前記移動機能力情報は、前記第１の無線アクセスネットワークについての移動機能力であることを特徴とする請求項７に記載の無線制御装置。
【発明の詳細な説明】
【技術分野】
【０００１】
本発明は、無線通信システムにおける無線通信制御方法と無線制御装置に関し、特に、異なる無線アクセスネットワーク間でのハンドオーバ時の移動機能力の取得に関する。
【背景技術】
【０００２】
近年、無線アクセスネットワークとして、3GPP（3rd Generation Partnership Project）の標準化仕様であるUTRAN（Universal Terrestrial Radio Access Network）や、UTRANを発展させたE-UTRAN（Evolved Universal Terrestrial Radio Access Network）が導入されている。E-UTRANはＬＴＥ（Long Term Evolution）で定義された無線インタフェースを用いた無線アクセスネットワークである。UTRANは第三世代（３Ｇ）移動通信技術を用いた無線アクセスネットワークである。
【０００３】
UTRANとE-UTRANはひとつの無線通信システム内で併用されて、互いに独立したサービスエリアを構成することができる。たとえばUTRANのサービスエリアがE-UTRANのサービスエリアよりも広く、E-UTRANのサービスエリアを包含しているケースを考える。E-UTRANでパケットデータ通信中あるいは音声通信中の移動機が、UTRANのみをサポートするサービスエリアに移動した場合、E-UTRANでの通信をUTRANでのパケット通信や音声通話に切り替えるInter-RAT PS-HO (Inter Radio Access Technology Packet-Switched Handover：RAT間パケット交換ハンドオーバ)やSRVCC（Single Radio Voice Call Continuity：単一無線での音声呼継続）が実行される。これにより、移動機は異なる無線アクセスネットワーク間で、通信の切断なしにパケットデータ通信や音声通信を継続することができる（たとえば、非特許文献１及び２参照）。
【０００４】
移動機がE-UTRANからUTRANへInter-RAT PS-HOあるいはSRVCCした場合、UTRANの無線制御装置で移動機能力を知っていないと、移動機をE-UTRANへ復帰させることができない。移動機能力は、移動機がInter-RAT PS-HOが可能か否か、UTRANでの通信中にE-UTRANの無線品質測定を実施することが可能か否か、E-UTRANのどの周波数帯域で通信可能か、等の情報を含む。
【０００５】
UTRANの無線制御装置は、移動機能力に関する情報を取得するために、無線を用いた手順（"UE Capability Enquiry"手順によるUE Capability Information通知）で移動機に対して移動機能力の報告を要求し、移動機から無線で報告を受信する（たとえば、非特許文献３参照）。
【０００６】
なお、SRVCCを行う際に、UTRANコアがEPC（Evolved Packed Core：進化型パケットコア）から受け取るハンドオーバ準備要求メッセージの中に移動機が使用しているE-UTRAN無線ベアラに関する情報を含める方法が提案されている（たとえば、特許文献１参照）。
【０００７】
また、移動機が、回線交換（CS: Circuit-Switched）ドメインからパケット交換（PS: Packet-Switched）ドメインへ音声サービスをハンドオーバする際に、リバースSRVCC交換局からのハンドオーバ要求に応じて、MME（Mobility Management Entity：モビリティ管理装置）がSGSN（Serving General packet radio service Support Node）からユーザ装置（UE）により事前に登録されたコンテキスト情報を取得して、リバースSRVCC交換局に渡す方法が提案されている（たとえば、特許文献２参照）。コンテキスト情報には、SRVCC用のセッション切替番号（STN-SR）とコーデック情報が含まれている。
【先行技術文献】
【特許文献】
【０００８】
【特許文献１】特開２０１１−１７２２３１号公報
【特許文献２】特表２０１３−５３４７６２号公報
【非特許文献】
【０００９】
【非特許文献１】３ＧＰＰ技術仕様書 ＴＳ３６．３００
【非特許文献２】３ＧＰＰ技術仕様書 ＴＳ３６．３３１
【非特許文献３】３ＧＰＰ技術仕様書 ＴＳ２５．３３１
【発明の概要】
【発明が解決しようとする課題】
【００１０】
無線制御装置が無線を用いた手順で移動機から移動機能力の報告を受信する方法では、無線品質によっては移動機能力情報の取得に失敗する場合がある。
【００１１】
そこで、無線品質によらずに移動機能力の取得を可能にする無線制御方法と無線制御装置を提供することを課題とする。
【課題を解決するための手段】
【００１２】
上記課題を解決するために、第１の無線アクセスネットワークと、前記第１の無線アクセスネットワークと異なる第２の無線アクセスネットワークとを併用する無線通信システムでの無線通信制御方法において、
前記第１の無線アクセスネットワークを用いて無線通信を行う移動機の通信を、前記第２の無線アクセスネットワークを用いた通信に切り替える際に、
前記第１の無線アクセスネットワークから前記第２の無線アクセスネットワークへ通知されるリロケーション要求に基づいて、前記第２の無線アクセスネットワークの交換機にてコアネットワーク上のデータベースから前記移動機の移動機能力情報を取得し、
前記交換機から前記第２の無線アクセスネットワークの無線制御装置へ前記移動機能力情報を供給し、
前記無線制御装置において、前記移動機能力情報を記憶するとともに、前記移動機に対する前記第２の無線アクセスネットワークを用いた通信への切替制御を行う。
【発明の効果】
【００１３】
パケットまたは音声通信中の移動機に対して異なる無線アクセスネットワーク間でのサービスの切り替えを行う際に、無線品質によらずに移動機能力を取得することができる。
【図面の簡単な説明】
【００１４】
【図１】実施形態の無線制御技術が適用される無線通信システムの例を示す図である。
【図２】図１のシステムでE-UTRANからUTRANへのInter-RAT PS-HO（RAT間パケットハンドオーバ）を行うときの移動機能力取得のシーケンス図である。
【図３】図１のシステムで用いられるデータベースのデータ形式の一例を示す図である。
【図４】図１のシステムで用いられる無線制御装置の構成例を示す図である。
【図５】図１のシステムでE-UTRANからUTRANへのSRVCC（音声呼継続）を行うときの移動機能力取得のシーケンス図である。
【発明を実施するための形態】
【００１５】
実施形態では、無線通信システムで、異なるRATの、第１の無線アクセスネットワーク（たとえばE-UTRAN）と、第２の無線アクセスネットワーク（たとえばUTRAN）を併用する。第１の無線アクセスネットワーク（E-UTRAN）で通信中の移動機は、交換機を介した第１と第２の無線アクセスネットワーク間の制御信号により、通信を切断することなく第２の無線アクセスネットワーク（UTRAN）での通信に切り替える（Inter-RAT PS-HOあるいはSRVCC）。このとき、第２の無線アクセスネットワークの無線制御装置は、交換機経由で、交換機がアクセス可能なデータベースから移動機の能力を取得する。この方法では、移動機能力の取得に無線手順を含まないので、無線品質によらずに確実に移動機能力を取得することができる。
【００１６】
図１は、本発明が適用される無線通信システム１の概略構成図である。無線通信システムは、コアネットワーク１０と、UTRAN１００と、E-UTRAN２００を含む。移動機３００は、E-UTRANセル４２０に在圏してE-UTRAN２００のサービスを受けることができるし、また、UTRANセル４１０に在圏してUTRAN１００のサービスを受けることもできる。
【００１７】
コアネットワーク１０は、UTRAN対向パケット交換機２０と、回線交換機３０と、E-UTRAN対向パケット交換機４０と、データベース５０を有する。UTRAN対向パケット交換機２０、回線交換機３０と、E-UTRAN対向パケット交換機４０のいずれも、データベース５０にアクセス可能である。
【００１８】
UTRAN１００は、第三世代移動通信（３Ｇ）で採用される無線アクセスネットワークであり、無線制御装置１１０とUTRAN無線基地局１２０を含む。E-UTRAN２００は、ＬＴＥで採用される無線アクセスネットワークであり、E-UTRAN無線基地局２１０を含む。無線制御装置１１０は、１以上のUTRAN無線基地局１２０を管轄する。また、１以上のE-UTRAN無線基地局２１０がE-UTRAN対向パケット交換機４０に接続されている。
【００１９】
UTRAN無線基地局１２０とE-UTRAN無線基地局２１０は、移動機３００との通信信号を送受信可能なエリアとしてセクタ４００をカバーする。セクタ４００では、互いにキャリア周波数の異なるUTRANセル４１０とE-UTRANセル４２０がオーバーレイされている。UTRAN無線基地局１２０はUTRANセル４１０をカバーし、E-UTRAN無線基地局２１０はE-UTRANセル４２０をカバーする。
【００２０】
移動機３００は、UTRANセル４１０に在圏するときは、無線アクセス技術（RAT）としてUTRAを用い、UTRAN無線基地局１２０を通してUTRAN１００へ接続される。移動機３００がE-UTRANセル４２０に在圏するときは、無線アクセス技術（RAT）としてE-UTRAを用い、E-UTRAN無線基地局２１０を通してE-UTRAN２００へ接続される。
【００２１】
コアネットワーク１０では、UTRAN対向パケット交換機２０、回線交換機３０、E-UTRAN対向パケット交換機４０、データベース５０は相互接続され、情報交換を行う。UTRAN対向パケット交換機２０は、無線制御装置１１０に接続され、UTRAを用いたパケット交換（PS）通信の接続時に情報交換を行う。回線交換機３０は、無線制御装置１１０に接続され、UTRAを用いた回線交換（CS）通信の接続時に情報交換を行う。E-UTRAN対向パケット交換機４０は、E-UTRAN無線基地局２１０に接続され、E-UTRAを用いたパケット交換（PS）通信の接続時に情報交換を行う。
【００２２】
データベース５０には、事前に登録された移動機能力が格納されており、UTRAN対向パケット交換機２０、回線交換機３０、E-UTRAN対向パケット交換機４０はデータベース５０にアクセスして、移動機能力を検索可能である。
【００２３】
無線制御装置１１０は、UTRAN無線基地局１２０と移動機３００との間において実行されるUTRAを用いた無線通信に関する制御を実行する。UTRAN無線基地局１２０と移動機３００は、UTRAを用いた無線通信を実行する。
【００２４】
E-UTRAN無線基地局２１０と移動機３００は、E-UTRAを用いた無線通信を実行する。E-UTRAN無線基地局２１０は当該無線通信に関する制御も実行する。
【００２５】
無線制御装置１１０は、UTRAを用いた無線通信を実行する移動機３００に対してRAT切替制御を行い、E-UTRAを用いた無線通信を実行するよう指示する。E-UTRAN無線基地局２１０は、E-UTRAを用いた無線通信を実行する移動機３００に対してRAT切替制御を行い、UTRAを用いた無線通信を実行するよう指示する。
【００２６】
図２は、実施形態のRAT間切り替え時の移動機能力取得の一例として、E-UTRAN（ＬＴＥ）からUTRAN（３Ｇ）へInter-RAT PS-HOする際の移動機能力の取得シーケンスを示す。
【００２７】
移動機３００は、E-UTRAを用いたパケット通信を実行中である。移動機３００がＬＴＥのサービスエリアであるE-UTRANセル４２０からＬＴＥエリア外に向かう場合、E-UTRAN無線基地局２１０は、E-UTRAN対向パケット交換機４０に"Handover Required"メッセージを通知する（Ｓ１１）。"Handover Required"メッセージは、移動機３００にUTRAを用いたパケット通信へのRAT間ハンドオーバ（Inter-RAT PS-HO）を実行させるためのメッセージである。
【００２８】
"Handover Required"を受けたE-UTRAN対向パケット交換機４０は、UTRAN対向パケット交換機２０に、"Forward Relocation Request"メッセージを送信する（Ｓ１２）。UTRAN対向パケット交換機２０は、E-UTRAN対向パケット交換機４０からの"Forward Relocation Request"に応じてデータベース５０にアクセスし、移動機３００の移動機能力を取得する（Ｓ１３）。UTRAN対向パケット交換機２０は、取得した移動機３００の移動機能力を"Relocation Request"に載せて、無線制御装置１１０へ通知する（Ｓ１４）。
【００２９】
"Relocation Request"を受けた無線制御装置１１０は、移動機能力を記憶するとともに、移動機３００がUTRAを用いたパケット通信をするのに必要な無線リソースを確保し（Ｓ１５）、"Relocation Request Acknowledge"をUTRAN対向パケット交換機２０へ通知する（Ｓ１６）。無線制御装置１１０は、この"Relocation Request Acknowledge"の中に、移動機３００に対するUTRANへのRAT切り替え指示メッセージ（Handover to UTRAN Command）を含める。この"Handover to UTRAN Command"にはＳ１５で無線制御装置１１０が確保した無線リソースの情報が含まれる。
【００３０】
"Relocation Request Acknowledge"を受けたUTRAN対向パケット交換機２０は、E-UTRAN対向パケット交換機４０へ"Forward Relocation Response"を通知する（Ｓ１７）。
"Forward Relocation Response"を受けたE-UTRAN対向パケット交換機４０は、E-UTRAN無線基地局２１０へ"Handover Command"を通知する（Ｓ１８）。
"Handover Command"を受けたE-UTRAN無線基地局２１０は、移動機３００へ"Mobility from E-UTRAN Command"を通知する（Ｓ１９）。この"Mobility from E-UTRAN Command"の中には、移動機３００に対するUTRANへのRAT切り替え指示メッセージである"Handover to UTRAN Command"がカプセリングされており、移動機３００はUTRAを用いたパケット通信へのRAT切り替え指示を認識することができる。
【００３１】
移動機３００はUTRANへのRAT切り替えを実行すると、無線制御装置１１０によって確保された無線リソースを用いて、UTRAN無線基地局１２０経由で無線制御装置１１０に"Handover to UTRAN Complete"メッセージを送信する（Ｓ２０）。
"Handover to UTRAN Complete"を受けた無線制御装置１１０は、UTRAN対向パケット交換機２０に"Relocation Complete"メッセージを通知する（Ｓ２１）。これにより、移動機３００は通信の切断なしに、UTRA（３Ｇ）を用いてパケット通信を継続する。
【００３２】
図２の方法では、切り替え先（ターゲット）の無線アクセスネットワークの交換機が、コアネットワーク１０上のデータベース５０から移動機３００の移動機能力を取得して無線制御装置１１０に渡すので、無線制御装置１１０は無線品質によらずに確実に移動機能力を取得することができる。また、移動機能力の取得に無線リソースを用いないので、無線容量を向上することができる。
【００３３】
図２の場合、無線制御装置１１０が取得する移動機能力は、切り替え元（ソース）の無線アクセスネットワーク、すなわちE-UTRAN２００に関する移動機の能力である。この情報を持つことによって、無線制御装置１１０は、移動機３００にUTRANからE-UTRANへのInter-RAT PS-HOを実行させることができる。
【００３４】
図３は、データベース５０が有する移動機能力情報のデータ形式の一例を示す。データベース５０への移動機能力の登録は、たとえば、対応機種の販売前に保守者が行う。
【００３５】
移動機能力は、移動機３００の識別情報と対応付けて格納される。移動機３００の識別情報として、たとえばデバイスを一意に識別することのできるIMEISV（International Mobile Equipment Identity Software Version）を用いる。
【００３６】
図３の例では、IMSISVをキー情報としたビットマップテーブルを用いる。ビットマップテーブルは、どのビットがどのような移動機能力を示すかの対応表である。この対応関係は、データベース５０を参照するUTRAN対向パケット交換機２０、回線交換機３０、E-UTRAN対向パケット交換機４０があらかじめ知っている。
【００３７】
たとえば、上位１ビット目は、３Ｇ（UTRAN）からＬＴＥ（E-UTRAN）へのInter-RAT PS-HOの能力の有無を示す。上位２ビット目は、３Ｇ通信中にＬＴＥキャリアの測定能力の有無を示す。上位３ビット目は、ＬＴＥの２ＧＨｚ帯での通信能力の有無を示す。上位４ビット目から上位６ビット目は、ＬＴＥの８００ＭＨｚ帯での通信能力の有無、１．７ＧＨｚ帯での通信能力の有無、１．５ＧＨｚ帯での通信能力の有無をそれぞれ示す。７ビット目と８ビット目はリザーブされていてもよいし、移動機が同時に受信できる通信の数（映像、音声、データ放送など）を格納してもよい。
【００３８】
図４は、無線制御装置１１０の概略構成図である。以下の説明では、本発明と関連する部分について説明する。無線制御装置１１０は、無線制御装置１１０としての機能を実現する上で必要な要素として電源部などを有するが、本発明と直接関連しない部分については図示および説明を省略する。
【００３９】
無線制御装置１１０は、コアネットワーク１０と通信を行う通信部１１１、UTRAN無線基地局１２０と通信を行う通信部１１３、制御部１１５、及び情報記憶部１１７を備える。通信部１１１は、UTRAN対向パケット交換機及び回線交換機３０を介した通信を実行するための通信インタフェースを提供する。通信部１１３は、UTRAN無線基地局１２０との通信を実行するための通信インタフェースを提供する。
【００４０】
制御部１１５は、E-UTRAを用いた無線通信を実行する移動機３００に対しUTRAを用いた無線通信を実行するよう指示するRAT切替制御を行う。制御部１１５はまた、UTRAN無線基地局１２０と移動機３００との間において実行されるUTRAを用いた無線通信に関する制御の実行と、UTRAを用いた無線通信を実行する移動機３００に対しE-UTRAを用いた無線通信を実行するよう指示するRAT切替制御を行う。
【００４１】
通信部１１１は、UTRA対向パケット交換機２０あるいは回線交換機３０から、リロケーション要求（Relocation Request）を受信する。上述のように、リロケーション要求は、この例では、E-UTRAを用いた無線通信を実行する移動機３００に対しUTRAを用いた無線通信を実行することを要求するメッセージである。リロケーション要求は、E-UTRAN無線基地局２１０からE-UTRAN対向パケット交換機４０を経由し、さらにはUTRAN対向パケット交換機２０、あるいは回線交換機３０を経由して、無線制御装置１１０で受信される。この時、UTRAN対向パケット交換機２０、あるいは回線交換機３０はデータベース５０へアクセスし、移動機３００の移動機能力を取得して、リロケーション要求（Relocation Request）に設定する。制御部１１５はこのリロケーション要求を通信部１１１から受け取る。
【００４２】
制御部１１５は、リロケーション要求を受け取った時点で、移動機３００の移動機能力も受信する。制御部１１５は、移動機３００の移動機能力を情報記憶部１１７へ通知する。情報記憶部１１７は、制御部１１５から受け取った移動機能力を記憶する。
【００４３】
移動機能力には、図３を参照して述べたように、UTRANからE-UTRANへのInter-RAT PS-HOが可能か否か、UTRANでの通信中にE-UTRANの無線品質測定を実施することが可能か否か、E-UTRANのどの周波数帯域で通信可能か、といった情報が含まれる。
【００４４】
制御部１１５によるRAT切替制御に応じて、E-UTRAを用いた無線通信を実行する移動機３００はUTRAを用いた無線通信に切り替えて、UTRANでの無線通信を実行する。
【００４５】
制御部１１５は、RAT切替指示後、RRC_Connected状態を維持して、UTRAを用いた無線通信を実行する移動機３００の移動機能力を情報記憶部１１７から取得する。制御部１１５は無線を用いた手順（UE Capability Enquiry手順によるUE Capability Information通知）を実行しなくても、移動機能力を取得できる。
【００４６】
制御部１１５は、移動機３００がパケット通信状態となっている間に、移動機能力と、現在通信中のUTRANセル４１０の周辺に存在するE-UTRANセル４２０の周波数帯域とから、移動機３００に対しE-UTRANの無線品質測定を指示するかを判断する。具体的には、制御部１１５は、移動機３００がUTRANからE-UTRANへのInter-RAT PS-HOが可能、かつ、UTRANでの通信中にE-UTRANの無線品質測定を実施することが可能であり、現在通信中のUTRANセル４１０の周辺に移動機３００が通信可能な周波数帯域で構築されたE-UTRANセル４２０が存在する場合に、通信部１１３及びUTRAN無線基地局１２０を経由して、UTRAで無線通信を実行中の移動機３００に対して、E-UTRANの無線品質測定を指示する。
【００４７】
制御部１１５は、UTRAN無線基地局１２０及び通信部１１３を経由して、移動機３００からの測定結果を受信する。移動機３００によって測定されたE-UTRANの無線品質が所望品質に達している場合は、制御部１１５は、移動機３００に対してUTRANからE-UTRANへのInter-RAT PS-HOを実行するよう指示するRAT切替制御を行う。
【００４８】
上述した例は、移動機３００がパケットデータ通信中である場合のRAT切替制御を説明したが、移動機３００が音声通話中である場合のRAT切替制御も同様に行うことができる。
【００４９】
図５は、E-UTRANからUTRANへのSRVCC時の移動機能力取得シーケンスを示す図である。図２のパケット通信が音声通信である場合、図２のUTRAN対向パケット交換機２０を回線交換機３０に置き換え、"Forward Relocation Request/Response"を"SRVCC PS to CS Request/Response"に置き換える。
【００５０】
移動機３００は、E-UTRAを用いた音声（VoLTE：Voice over LTE）通信を実行中である。E-UTRAN無線基地局２１０は、移動機３００に対してUTRAを用いた音声通信へSRVCCさせるために、E-UTRAN対向パケット交換機４０に"Handover Required"メッセージを通知する（Ｓ３１）。
【００５１】
これを受けたE-UTRAN対向パケット交換機４０は、回線交換機３０に"SRVCC PS to CS Request"を送信する（Ｓ３２）。回線交換機３０は、データベース５０にアクセスして、移動機３００の移動機能力を取得する（Ｓ３３）。回線交換機３０は、取得した移動機３００の移動機能力を"Relocation Request"に載せて、無線制御装置１１０へ通知する（Ｓ３４）。
【００５２】
"Relocation Request"を受けた無線制御装置１１０は、移動機能力を記憶するとともに、移動機３００がUTRAを用いた音声通信をするのに必要な無線リソースを確保し（Ｓ３５）、"Relocation Request Acknowledge"を回線交換機３０に通知する（Ｓ３６）。無線制御装置１１０は、この"Relocation Request Acknowledge"の中に、移動機３００に対するUTRANへのRAT切り替え指示メッセージ（Handover to UTRAN Command）を含める。この"Handover to UTRAN Command"にはＳ３５で無線制御装置１１０が確保した無線リソースの情報が含まれる。
【００５３】
"Relocation Request Acknowledge"受けた回線交換機３０は、E-UTRAN対向パケット交換機４０へ"SRVCC PS to CS Response"を通知する（Ｓ３７）。
"SRVCC PS to CS Response"を受けたE-UTRAN対向パケット交換機４０は、E-UTRAN無線基地局２１０へ"Handover Command"を通知する（Ｓ３８）。
"Handover Command"を受けたE-UTRAN無線基地局２１０は、移動機３００へ"Mobility from E-UTRAN Command"を通知する（Ｓ３９）。この"Mobility from E-UTRAN Command"の中には、移動機３００に対するUTRANへのRAT切り替え指示メッセージである"Handover to UTRAN Command"がカプセリングさせており、移動機３００はUTRAを用いた音声通信へのRAT切り替え指示を認識することができる。
【００５４】
移動機３００はUTRANへのRAT切り替えを実行すると、無線制御装置１１０によって確保された無線リソースを用いて、UTRAN無線基地局１２０経由で無線制御装置１１０に"Handover to UTRAN Complete"メッセージを送信する（Ｓ４０）。
"Handover to UTRAN Complete"を受けた無線制御装置１１０は、回線交換機３０に"Relocation Complete"メッセージを通知する（Ｓ４１）。これにより、移動機３００は通信の切断なしに、UTRA（３Ｇ）を用いて音声通信を継続する。
【００５５】
無線制御装置１１０は、図２あるいは図５のシーケンスに従うことにより、E-UTRANからUTRANへのInter-RAT PS-HO或いはSRVCCの際に、交換機２０または３０から移動機能力を取得する。無線を用いた手順で移動機能力を取得する必要がなくなり、無線品質によらずに移動機能力取得をすることができる。無線手順が省略されたことにより、無線容量向上効果もある。
【００５６】
上述した例では、ＬＴＥ方式の無線アクセスネットワークから３Ｇ方式の無線アクセスネットワークへのRAT切り替え時の移動機能力取得を説明したが、リバースSRVCCハンドオーバや、３ＧからＬＴＥへのPS-HOに適用することもできる。この場合は、データベース５０に、あらかじめ各移動機３００の３Ｇネットワークにおける移動機能力が格納されている。移動機３００の識別情報に、ＬＴＥの移動機能力と３Ｇの移動機能力の双方を対応付て記憶させてもよい。３ＧからＬＴＥへのハンドオーバ時に、E-UTRAN無線基地局２１０の無線制御機能は交換機４０経由でデータベース５０から３Ｇネットワークにおける移動機能力を取得して、自局の情報記憶部に記憶する。
【符号の説明】
【００５７】
１  無線通信システム
１０  コアネットワーク
２０  UTRAN対向パケット交換機
３０  回線交換機
４０  E-UTRAN対向パケット交換機
５０  データベース
１００  UTRAN
１１０  無線制御装置
１１１、１１３  通信部
１１５  制御部
１１７  情報記憶部
１２０  UTRAN無線基地局
２００  E-UTRAN
２１０  E-UTRAN無線基地局
３００  移動機
４００  セクタ
４１０  UTRANセル
４２０  E-UTRANセル
【図１】
2015216573.tif 000003
【図２】
2015216573.tif 000004
【図３】
2015216573.tif 000005
【図４】
2015216573.tif 000006
【図５】
2015216573.tif 000007